(57)【要約】【課題】本発明の課題は、人体に殆ど無害でダニの増殖抑制効果が高くて半永久的に持続する防虫畳及びその製造方法を提供することにある。【解決手段】畳床の少なくとも表側、及び裏側に、ホウ素換算で０．１重量パーセント以上の拡散性ホウ酸塩を含有した繊維質シートを介在させ、ダニの増殖抑制効果を高めた防虫畳、及び濃度が１０重量パーセント以上の拡散性ホウ酸塩水溶液を含浸若しくは塗布して、畳材料として準備しておき、これを所定の長さに切断して、畳床に介在させて縫い付けることを特徴とする防虫畳の製造方法。【選択図】　　図１
2004084462.tif 000002
【特許請求の範囲】
【請求項１】
畳床の少なくとも表側、及び裏側に、ホウ素換算で０．１重量パーセント以上の拡散性ホウ酸塩を含有した繊維質シートを介在させたことを特徴とする防虫畳。
【請求項２】
前記畳床の裏側に用いる繊維質シートが、その下面にプラスチックシートを積層したシートであることを特徴とする請求項１記載の防虫畳。
【請求項３】
ホウ素換算で０．１重量パーセント以上の拡散性ホウ酸塩を含有した繊維質シートを畳縁に用いたことを特徴とする請求項１又は２記載の防虫畳。
【請求項４】
請求項１乃至３記載の拡散性ホウ酸塩を含有した繊維質シートを用いて、畳床を完全に被覆したことを特徴とする防虫畳。
【請求項５】
ホウ酸塩を含有した、繊維質シートを用いて防虫畳を製造するに際して、畳床の幅に合わせて定幅サイズに形成した繊維質シート素材に、予め作成した濃度が１０重量パーセント以上の拡散性ホウ酸塩水溶液をホウ素換算で０．１重量パーセント以上含浸若しくは塗布し、これを畳床の少なくとも表側、及び裏側に介在させて縫い付けることを特徴とする防虫畳の製造方法。
【発明の詳細な説明】
【０００１】
【発明の属する技術分野】
本発明は防虫畳及びその製造方法に関するものであり、詳しくは、人体には害の少ない拡散性ホウ酸塩を所定量含有させた繊維質シートを畳床の少なくとも表側、及び裏側に介在させて、ダニ類の生息、繁殖を抑制する防虫畳及びその効率的な製造方法に関する。
【０００２】
【従来の技術】
畳は、日本の伝統的な建築材料で、元来乾燥した藁を圧縮した畳床に畳表を縫い付けたものである。畳は天然植物素材としての風合いや調湿機能を持つ反面、しばしばダニやチャタテ虫などの害虫の温床になっている。特に夏期など、温度と湿度の条件が満たされると、チリダニやコナダニなどが大発生し、これらを捕食するツメダニが増える。住宅構造が密閉化するにつれ、最近では冬季のダニの増殖も問題になっている。チリダニ、コナダニの生体、死体、糞は、アレルゲンとして喘息、鼻炎、アトピー性皮膚炎等に関係し、ツメダニは刺咬症を起こす。
【０００３】
このような畳の欠点を是正するために、ピレスロイド系等の殺虫剤を染み込ませた紙シートで畳床をくるんだ上に畳表を張って作っている。しかしながら、上記の殺虫剤は人体に悪影響があるうえに、半年以上経過すると効果が無くなることや、殺虫剤を染み込ませた紙シートが短期間で破損する等の欠点がある。
【０００４】
特公平２−１３０８０号公報（ホウ素化合物含有紙）には、セルロース繊維を主体とする繊維質物質と無機物質からなる抄紙に、水難溶性または不溶性のホウ素化合物粉末を少なくとも５重量パーセント含むホウ素化合物含有紙が開示されている。しかしながら、このホウ素化合物は拡散性ではないので、空気中の水分を吸った藁、藺草やダニの餌等に拡散することがない。ホウ素化合物はダニに直接接触して殺害するのではなくて、ホウ素化合物を含んだ餌を食べさせることによって殺害するものなので、この種のものを例えば畳の下に敷き込んでも、効果が小さく、上記特許技術ではダニの増殖抑制効果が不充分である。
【０００５】
また、特開平５−３３９１１４号（殺虫シートの製造方法）には、オルトホウ酸およびノニオン系バインダーの混合溶液を４０〜９０℃に保持し、布または不織布に塗布して乾燥し、ホウ素粒子を固着させる殺虫シートの製造方法が開示されている。しかしながら、オルトホウ酸は水に対する親和性が低く、空気中の水分を吸収して含水率が高まった藁、藺草やダニの餌となるふけ、垢、食物の屑等に拡散する性質が小さいために、ダニの増殖抑制効果が不充分である。また、水に難溶性で、常温（２０℃）では４．８重量パーセントしか溶解しないので、加熱して布または不織布に塗布しなければならない。またオルトホウ酸は、局所的に集合して容易に白色の結晶を形成するため、乾燥すると粉末となって飛散し易い欠点がある。
【特許文献１】
特公平２−１３０８０号公報、第１頁
【特許文献２】
特開平５−３３９１１４号公報、第１頁
【０００６】
【発明が解決しようとする課題】
本発明の課題は、上記欠点を解決するためになされたもので、常温で水によく溶解して高濃度の水溶液が可能で、空気中の水分を吸収して含水率が高まった植物組織に対する拡散性に優れ、乾燥しても粉末として飛散しにくいホウ素化合物を用いることにより、人体に殆ど無害でダニの増殖抑制効果が高くて半永久的に持続する防虫畳及びその製造方法を提供することにある。
【０００７】
【課題を解決するための手段】
本発明は、畳床の少なくとも表側、及び裏側に、ホウ素換算で０．１重量パーセント以上の拡散性ホウ酸塩を含有した繊維質シートを介在させたことを特徴とする防虫畳、及びその製造方法である。
【０００８】
本発明でいう繊維質シートとは、セルロース系素材や蛋白質系素材からなる繊維質や、合成繊維からなる紙若しくは不織布、織物等のシート状のものであるが、コスト面やダニの往来阻止性から紙若しくは不織布が主として用いられる。
【０００９】
また、本発明でいう拡散性ホウ酸塩とは、八ホウ酸ニナトリウム四水和物［Ｎａ２Ｂ８Ｏ１３・４Ｈ２Ｏ］（以下ＤＯＴという）又は、水溶液中でホウ酸とホウ砂を１：１〜１：２で混合して生成するホウ素化合物である。この拡散性ホウ酸塩は、常温（２０℃）で１０重量パーセント、温水にすると３０重量パーセント以上の高濃度の水溶液が可能である。また植物組織に対する拡散性にすぐれ、乾燥しても粉末として飛散しにくい。特に、梅雨期などの高湿度時には、動植物繊維や食物の含水率は２０重量パーセント近くまで上昇するが、拡散性ホウ酸塩、特にＤＯＴはこのような状態の組織中を、緩やかに拡散する性質がある。
【００１０】
繊維質シートの拡散性ホウ酸塩の含有量は、ホウ素換算で０．１重量パーセント以上、好ましくは０．５重量パーセント以上かつ６．０重量パーセント以下である。繊維質シート中の拡散性ホウ酸塩の含有量がホウ素換算で０．１重量パーセント未満になると、ダニの増殖抑制効果は不充分になるし、６．０重量パーセントを越えると、ホウ酸塩が繊維質シートの表面に沈着して硬くなり、繊維質シートの乾燥工程中や畳の製造工程中に飛散するようになる。飛散するホウ酸塩は人体に対する害は極微であるが、好ましい現象ではない。経済的にも、ホウ酸塩の含有量は必要最小限に留めるべきである。
【００１１】
上記の拡散性ホウ酸塩を含有した繊維質シートの厚さとしては、取扱い中に破損しない程度の厚みがあればよく、その上限は０．５ｍｍ未満にするのが取扱い性やコスト面から好ましいといえる。この繊維質シートの幅寸法を畳床の大きさに合わせて畳床の表側、好ましくは表裏両側に介在させると、拡散性ホウ酸塩の使用量が少なく、コストが抑えられて、効率的にダニ増殖を抑制することができる。
【００１２】
拡散性ホウ酸塩を含有した繊維質シートを、畳床の表側に用いる場合は、拡散性ホウ酸塩をホウ素換算で１．０ｇ／ｍ２以上含有させておくと、ダニの増殖を抑制するのに充分な量のホウ酸塩を畳表に拡散させることができるので好ましい。更に、この繊維質シートをクレープ加工しておくと、取扱い性が向上するし、人が畳の上を歩いたときに音がしないので好ましいといえる。この繊維質シートは、畳床作成時に畳床最上部に縫い付けてもよいが、破損すると交換が困難となるので、畳表の下側に介在させて予め作成した畳床に縫い付けるのがよい。
【００１３】
畳の上で生活する人間にとってダニの影響を受けるのは、畳表に居住するダニと畳床から畳の上に出てきたダニである。上記の拡散性ホウ酸塩を含有した繊維質シートを畳床の表側に介在させると、この繊維質シートに含有された拡散性ホウ酸塩は、空気中の湿気を吸って畳表、畳床の上部や畳縁に拡散する。空気中の湿気は畳表側から吸湿されるので、拡散性ホウ酸塩は畳床側よりも畳表側により多く拡散する。また、繊維質シートの上下よりも、端面側に拡散し易い傾向がある。畳表に拡散された拡散性ホウ酸塩は、畳表中のダニの餌となるふけ、垢、食物の屑等にも拡散するので、畳表中のダニは、ホウ酸塩が拡散した前記の餌を食べて死滅する。また、畳表に生んだダニの卵は拡散性ホウ酸塩が浸透して孵化しなくなる。
【００１４】
また、畳床に居住するダニは、畳床の表側の繊維質シートに邪魔されて、畳縁部のみからしか畳表側に出てこられないが、畳縁部通過時に畳縁に拡散された拡散性ホウ酸塩がダニの手足や身体に付着し、ダニがホウ酸塩を付着した手足や身体を舐めることや、前記の如く畳表中の餌となるふけ、垢、食物の屑等を食べることにより殺害される。
【００１５】
上記の場合、ホウ素換算で０．１重量パーセント以上、好ましくは０．５重量パーセント以上かつ６．０重量パーセント以下の拡散性ホウ酸塩を含有した繊維質シートを畳縁に用いて畳表に重ねて畳床に縫い付けるとより効果的である。畳縁は、一般に淡色紙と黒色紙を貼り合せた畳縁下紙を畳縁布の下に重ねて用いるが、畳縁下紙か畳縁布に拡散性ホウ酸塩を含有させて用いる。また、拡散性ホウ酸塩を含有した繊維質の人工藺草からなる畳縁を用いてもよい。このようにして畳床に縫い付けられた畳縁の拡散性ホウ酸塩は、空気中の水分を吸って畳縁全体及びその近傍に拡散するので、畳縁部を通過するダニの手足や身体に拡散性ホウ酸塩がより多く付着することになり、ダニの死ぬ確立が非常に高くなる。
【００１６】
畳床と共に、畳床とその下部の床面との間隙もダニの温床になっており、この二つの温床を往来するダニを殺害することも重要である。拡散性ホウ酸塩をホウ素換算で０．１重量パーセント以上、好ましくは０．５重量パーセント以上かつ６．０重量パーセント以下含有した繊維質シートを畳床の裏側に介在させて縫い付けると、ダニは縫針穴又は繊維質シートの端部からのみ往来することになる。上記繊維質シートに含有された拡散性ホウ酸塩は端部や上面近傍の畳床、縫針穴の縫糸に拡散し、この部分を往来するダニの手足や身体に付着して、ダニがホウ酸塩を付着した手足や身体を舐めることにより殺害される。
【００１７】
畳床の裏側に用いる拡散性ホウ酸塩含有繊維質シートは、畳床の最下面に縫い付けると破損しやすくなり、一旦破損すると補修が困難となるので、補強と滑り性向上を兼ねてその下面にプラスチックシートを積層する。本発明でいう積層とは、重ね合せるか又は貼り合せることを意味し、具体的には、繊維質シートの下面にプラスチックシートを、好ましくはポリプロピレンのフラットヤーン織物を重ね合せるか又はラミネート加工して、畳床の最下部に縫い付ける。この繊維質シートに含有された拡散性ホウ酸塩は、下部床面から吸湿するので、上部畳床よりも下部床面により多く拡散する傾向がある。上記のプラスチックシートは下部への多量の拡散を抑制し、上記繊維質シートの端部や上面近傍の畳床、縫針穴の縫糸への拡散を助長し、この部分を往来するダニの手足や身体に付着してダニを殺害する。このようにプラスチックシートを積層すると、下部床面上にのみ居住するダニは殺害できないが、畳床や畳表に出てこなければ実害は無い。畳床の下部床面にのみ居住するダニを死滅させたい場合は、下部床面全体にホウ酸塩含有繊維質シートを敷いておくとよい。
【００１８】
本発明は上記の如く、ホウ素換算で０．１重量パーセント以上の拡散性ホウ酸塩を含有した繊維質シートを、少なくとも畳床の表側、及び裏側に介在させ、好ましくは、畳縁にも拡散性ホウ酸塩を含有した繊維質シートを用いて畳床に縫い付けたものである。この３種類の繊維質シートは耐久性があり、含有されている拡散性ホウ酸塩は畳以外へは殆ど拡散しないし、昇華も変化もしないので、半永久的にダニ増殖抑制効果を発揮する。
【００１９】
また、本発明は上記３種類の拡散性ホウ酸塩を含有した繊維質シートを用いて、畳床を完全に被覆したことを特徴とする防虫畳も提供するものである。具体的な手法としては、畳床の表側の繊維質シートを畳表と同じ長さにして畳床の裏側の繊維質シートに重ね合わせ、且つ、畳床の裏側の繊維質シートを畳縁まで延長して重ね合わせるか、若しくは畳縁を畳床の裏側の繊維質シートまで延長して重ね合わせて畳床に縫い付けると、拡散性ホウ酸塩を含有した繊維質シートで畳床全体を完全に被覆することになり、ダニ増殖抑制効果が格段に向上する。この場合、畳床の表側の繊維質シートに代えて、拡散性ホウ酸塩を含有した藺草や繊維質の人工藺草からなる畳表で代用してもよい。
【００２０】
本発明は、畳表又は及び畳床にも拡散性ホウ酸塩を含有させて併用することも含むものであるが、特に畳床や畳表にはホウ酸を直接含有させなくとも充分な効果を奏するよう構成されているので不必要である。畳表に拡散性ホウ酸塩を高濃度に含有させると家の中に拡散性ホウ酸塩を飛散させる原因になるし、畳床に拡散性ホウ酸塩を含有させると拡散性ホウ酸塩の使用量や乾燥費用が増加し、コストアップとなる。
【００２１】
上記拡散性ホウ酸塩を含有した繊維質シートを有効に製造する本発明の製造方法は、畳床の幅に合わせて定幅サイズに形成した繊維質シート素材に、予め作成した濃度が１０重量パーセント以上の拡散性ホウ酸塩水溶液をホウ素換算で０．１重量パーセント以上含浸若しくは塗布し、これを畳床の少なくとも表側、及び裏側に縫い付けることを特徴とする防虫畳の製造方法である。
【００２２】
拡散性ホウ酸塩の水溶液濃度は１０重量パーセント以上の高濃度のものを用いる。拡散性ホウ酸塩濃度が１０重量パーセント未満になると、繊維質シートに拡散性ホウ酸塩を高濃度に含有させることが難しくなるし、含浸若しくは塗布した後の乾燥に時間がかかって好ましくない。
【００２３】
一般に、畳は畳を敷く和室の寸法に合わせて畳店で作られる。一方、本発明の繊維質シートは、繊維質の素材や目付け・厚みを適切に管理し、幅は畳床に合わせて定幅サイズに形成して製紙工場で製造する。この繊維質シート素材への拡散性ホウ酸塩の水溶液処理は、前記の製紙工場での同一工程若しくは紙加工工場での別工程で、所定の含有量になるように管理して連続的に含浸若しくは塗布した後、乾燥してロール状に巻き取る。このロール状の繊維質シートは、畳屋で所定の長さに切断して畳床の少なくとも表側、及び裏側、更に畳縁に介在させて縫いつけて、防虫畳を製造するようにしたものである。
【００２４】
以上の如き製法を採用することにより、繊維質シートの無駄を省き、良質で効果的な防虫畳を製造することができる。
【００２５】
本発明は、昔からの藁１００パーセントの本藁畳の外に、発泡スチロール等のボード類と藁を挟んだ藁サンド畳や、藁を全く用いない所謂化学畳等全ての畳に適用することができる。
【００２６】
【発明の実施の形態】
次に、実施例を加えて、本発明の実施の形態を示すが、本発明はこれに限定されるものではない。
本発明に用いる積層シートの製造方法について好ましい一例を示すと、パルプを叩解して抄造し、幅を畳床サイズとし、目付けが８０〜１００ｇ／ｍ２の抄紙（厚さ約０．１０〜０．１４ｍｍ）を製造し、連続的に巻き取るか、又は巻き取らずに引き続いて、濃度が１０重量パーセント以上の拡散性ホウ酸塩水溶液をホウ素換算で１．０〜４．０ｇ／ｍ２を塗布して、乾燥後ロール状に巻き取る。この巻き取ったロール状の繊維質シートにプロピレン製のフラットヤーン織物をラミネート加工したもの（以下Ｐ．Ｐ．シートという）を畳床の裏側用の積層シートとして準備する。
【００２７】
一方、上記の抄紙の製造において、クレープ加工を施し、プロピレン製のフラットヤーン織物をラミネート加工しないで製造して畳表用の繊維質シートとして準備する。更に、別途作成したホウ素を含有しない上記とほぼ同じ目付けの紙と黒色の紙を、ホウ素を含有した接着剤で貼り合せて、畳縁下紙として準備する。
【００２８】
次に、かくして準備した繊維質シートを用いた畳の実施の形態を、図面を用いて説明する。図１は、本発明の第一の実施形態に係る防虫畳の部分断面斜視図である。この図は建材畳に応用した例で、インシュレーションボード８の上下に、クッション性不織布７及び板紙９を、更にその下側に上記のホウ酸処理したＰ．Ｐ．シート４を重ねて縫い付けて畳床１にする。ここで、クッション性不織布７と板紙９は上下を逆にしてもよいし、同じ物を上下に用いてもよいし、また、その何れかをエンボス樹脂シートにしてもよい。
【００２９】
上記で準備したホウ酸処理繊維質シート３を畳表２の下に重ねて、その縁に、上記で準備したホウ素含有畳縁下紙５と畳縁布６を重ねて、畳床１に縫い付けたものである。
【００３０】
この例は、以上の如き構成となっているので、繊維質シート３の拡散性ホウ酸塩は畳表２に拡散して、畳表２に居住するダニを死滅させる。また、繊維質シート４ａの拡散性ホウ酸塩は端面や板紙９、そして縫針穴の縫糸に拡散して、この部位を通過又は居住するダニを殺害する。更にまた、畳縁下紙５の拡散性ホウ酸塩は畳縁布６に拡散して、この部位を通過するダニを殺害する。
【００３１】
上記の繊維質シート３、繊維質シート４ａ及び畳縁下紙５は、それぞれ、畳表２、プロピレン製のフラットヤーン織物４ｂ及び畳縁布６で被覆されているので、長期間破損することがない。
【００３２】
図２は、本発明の他の実施形態に係る防虫畳の部分断面斜視図である。この図は藁サンド畳に応用した例で、発泡スチロール板１１を藁床１０ａと１０ｂでサンドイッチ状にし、その裏側に上記のホウ酸処理したＰ．Ｐ．シート４を重ねて縫い付けて畳床１にしている。
【００３３】
上記のホウ酸処理して準備した繊維質シート３を畳表２の下に重ねて、その縁に、図１に示す形態よりも広幅のホウ酸塩含有畳縁下紙５と畳縁布６を重ねて、畳床１の側面から表裏両面に折り曲げて縫い付けたものである。
【００３４】
図３は、本発明の更に他の実施形態に係る防虫畳の部分断面斜視図である。この図は昔からの本藁畳に応用した例で、藁床１２の裏側に図２で示した実施形態のものよりも広幅のホウ酸処理したＰ．Ｐ．シート４を、藁床１２の裏側から側面の中間より上の位置まで折り曲げて縫い付けて畳床１にしている。上記のホウ酸処理して準備した繊維質シート３を畳表２の下に重ねて、その縁に、図１に示した実施形態と同じ幅のホウ酸塩含有畳縁下紙５と畳縁布６を重ねて、畳床１の側面のＰ．Ｐ．シート４の上に重ねて縫い付けたものである。
【００３５】
上記の図２及び図３で示した実施形態は、拡散性ホウ酸塩を含有した繊維質シート３とＰ．Ｐ．シート４及び、畳縁下紙５で、畳床１を完全に被覆しているので、ダニは拡散性ホウ酸塩で取り囲まれた畳床１の内部に閉じ込められて死滅する。例えシート間の隙間や縫針穴からダニが外部へ逃げ出したとしても、拡散性ホウ酸塩はシートの接触面や縫針穴の縫糸に拡散しているので、この部分を往来するダニの手足や身体に付着し、ダニがホウ酸塩を付着した手足や身体を舐めることにより殺害される。
【００３６】
図１、図２、図３で示した実施形態において、畳床１と、Ｐ．Ｐ．シート４や畳縁下紙５の組み合わせは単なる例であり、図１の建材畳を、図２や図３の如くＰ．Ｐ．シート４と畳縁下紙５で完全被覆してもよいし、逆に、図２の藁サンド畳や図３の本藁畳を、図１の如く不完全被覆してもよく、何れの組み合わせも本発明に包含されるものである。
【００３７】
（実施例１）試験サンプルの調整：目付け８０ｇ／ｍ２のクレープ紙を一辺が２０ｃｍの正方形に２枚分カットして、８０℃の熱風乾燥機中で３時間乾燥後秤量し、１枚を比較用のブランク試料Ｐ５として準備した。他の１枚はＤＯＴ１０％水溶液に浸漬して取りだし、一対のゴムローラで絞り圧力を加減しながら絞って秤量し、前記乾燥重量に対して１２５％増しになるよう調整した。その後、８０℃の熱風乾燥機で３時間乾燥して再び秤量し、試料Ｐ１として準備した。この試料のＤＯＴ含有量を算出したところ、１２．５重量％（ホウ素換算で２．５重量％）であった。また、比較用として、市販の防虫紙３種類を購入して、試料Ｐ２、Ｐ３、Ｐ４として準備した。
【００３８】
ダニ育成実験１
上記の試料Ｐ１、Ｐ２、Ｐ３、Ｐ４、Ｐ５を、５ｃｍ×７ｃｍの長方形に各２枚切り出し、合計１０枚作成してダニ増殖抑制効果試験片とし、次のように評価した。
【００３９】
上記試験片１０枚を、内寸７ｃｍ×１０　ｃｍ×３．５　ｃｍ（深さ）のトレーの底面に敷いた。密閉できるプラスチック容器（内寸３５×５０×２０（深さ）ｃｍ）の底部に飽和食塩水２リットルを加え、水面から５ｃｍ嵩上げして３０ｃｍ×４５　ｃｍの合板を置き、該合板上に上記のトレーを１０個並べた。容器を密閉後２７±３℃に温度調整された室内に一晩放置し、試験片を調整した。
【００４０】
次に各トレー中の各試料表面に、生存ヤケヒョウヒダニ約１００固体を含むダニ倍地５００ｍｇを投入し、プラスチック容器を密閉し、遮光下に６週間保存した。この間、飼育環境は相対湿度７５％、温度２７±３℃にコントロールされた。ダニ培地用飼料は、実験動物用粉末飼料と乾燥酵母を１：１の割合で混合、粉砕したものである。
【００４１】
４週間後に各２試料と６週間後に残り各２試料を、次の方法で各トレー中の生存ダニ数を数えた。すなわち、トレー中のダニ培地を全量取りだし、飽和食塩水浮遊法で倍地から生存ダニを回収し、実体顕微鏡下で生存ダニ数を計数した。残りの試験片とシャーレは、高速水流で洗ってダニを分離し、実体顕微鏡下で生存ダニ数を計数した。この両者の計数値を合計して、全生存ダニ数とした。
【００４２】
実験結果
４週間目、６週間目の全生存ダニ数を表１に示す。（表中のＤＯＴ　ｗｔ％とは、クレープ紙の重量に対するホウ素換算でのＤＯＴ含有重量％である。）
【表１】
2004084462.tif 000003
表１から明らかなように、市販の防ダニシートは４週間目ではダニ増殖抑制効果が認められるが、６週間目になるとその効果がなくなり生存ダニ数が増加している。一方、本発明のＤＯＴ含有クレープ紙は、６週間目でも高いダニ増殖抑制効果が認められる。
【００４３】
（実施例２）試験サンプルの調整：図１の如き構造で、防ダニ処理していない厚さが２ｃｍの建材畳を畳屋さんから購入し、５ｃｍ×７ｃｍの長方形に２０枚切り出し、繊維質シート３に代えて、上記の実施例１と同じようにカットした試料Ｐ１、Ｐ２、Ｐ３、Ｐ４、Ｐ５を介在させて仮縫い固定した後、８０℃の熱風で５時間乾燥して、温度２５℃、湿度７５％の温調室で３０日間調湿した。これらの試料を実験例１の試験サンプルに代えて各トレー中に敷き、各試料の畳表面に、生存ヤケヒョウヒダニ約１００固体を含むダニ倍地５００ｍｇを投入した外は、実施例１と同一要領にてダニ増殖抑制効果を評価した。
【００４４】
実験結果
４週間目、６週間目の全生存ダニ数を表２に示す。
【表２】
2004084462.tif 000004
表２から明らかなように、市販の防ダニシートを用いた試料は、Ｐ５のブランク同様ダニ増殖抑制効果が全くないことが分る。これに対して、ＤＯＴ含有クレープ紙を畳表下面に介在させたＰ１は、４週間目も６週間目でも高いダニ増殖抑制効果が認められる。
【００４５】
【発明の効果】
以上の如く本発明は、特許請求の範囲に記載の通りの防虫畳であるので、繊維質シートに含有された拡散性ホウ酸塩は、高湿度時に空気中の水分を吸って畳表や畳縁そして縫針穴の縫糸に拡散し、畳表中のダニの餌となるふけ、垢、食物の屑等にも拡散して、ダニはこの餌を食べて死滅する。また、畳縁や縫針穴の縫糸に拡散した拡散性ホウ酸塩は、この部位を往来するダニの手足や身体に付着して、ダニがホウ酸塩を付着した手足や身体を舐めることにより殺害される。
【００４６】
また、畳床にホウ酸塩を含有した繊維質シートを介在させた畳を製造するに際し、畳床の幅に合わせて定幅サイズに形成した繊維質シート素材に、濃度が１０重量パーセント以上の拡散性ホウ酸塩水溶液をホウ素換算で０．１重量パーセント以上含浸若しくは塗布して、畳材料として準備しておき、これを所定の長さに切断して、畳床の少なくとも表側、及び裏側に介在させて縫い付けて防虫畳を製造するので、特に品質が安定し、効果的で安価に製造できる。
【図面の簡単な説明】
【図１】本発明の一実施形態に係る防虫畳の部分断面斜視図である。
【図２】本発明の他の実施形態に係る防虫畳の部分断面斜視図である。
【図３】本発明の更に他の実施形態に係る防虫畳の部分断面斜視図である。
【符号の説明】
１　畳床
２　畳表
３　繊維質シート
４　Ｐ．Ｐ．シート
４ａ　繊維質シート
４ｂ　プロピレン製のフラットヤーン織物
５　畳縁下紙
６　畳縁布
７　クッション性不織布
８　インシュレーションボード
９　板紙
１０ａ，１０ｂ　藁床
１１　発泡スチロール板
１２　藁床
【図１】
2004084462.tif 000005
【図２】
2004084462.tif 000006
【図３】
2004084462.tif 000007